(57)【要約】【課題】骨盤に加わる少ない力で骨盤の歪み矯正を骨盤かかる筋肉に負担を加えることなしに効果的に行わせることができる。骨盤に加わる緊張を均等に負担をかけることなく骨盤の歪み矯正及び伸張を行うことができる。【解決手段】基台１２に摺動可能に取り付けられた摺動板１４を所定の長さ移動することにより脚部を伸張させると共に、弾性部材を所定間隔に複数本配設してなる腰載置台１８の弾性部材３６が骨盤の自重によって骨盤筋肉に食い込み弾性部材と骨盤筋肉部とが面で接触して、よって骨盤部の摺動板の移動に伴う摺動方向の移動阻止と、摺動板の戻りによる弾性部材の復元力の作用が得られる。【選択図】図２
2009039479.tif 000002
【特許請求の範囲】
【請求項１】
基台と、前記基台の上部に摺動可能に取り付けられた摺動板と、前記摺動板に設けられた足固定具と、弾性部材を所定間隔に複数本配設してなる腰載置台と、前記摺動板を摺動するための駆動装置と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備える骨盤矯正装置。
【請求項２】
１０度〜２０度の傾斜面を備える基台と、前記基台の上部に摺動可能に取り付けられた摺動板と、前記摺動板に固定して取り付けられた足固定具と、弾性部材を所定間隔に複数本配設してなる腰載置台と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備え、前記摺動板を摺動するため前記基台内に配設された空気袋と、前記空気袋へ空気を供給するための空気供給装置とを備え、前記基台内に配設された空気袋へ空気の圧力；１８ｋｇ／ｃｍ２〜３０ｋｇ／ｃｍ２で空気を供給してなる骨盤矯正装置。
【請求項３】
１０度〜２０度の傾斜面を備える基台と、前記基台の上部に摺動可能に取り付けられた摺動板と、前記摺動板に固定して取り付けられた足固定具と、弾性部材を所定間隔に複数本配設してなる腰載置台と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備え、前記基台内に駆動源として前記摺動板を摺動するアクチュエータとを備える骨盤矯正装置。
【請求項４】
弾性部材を所定間隔に複数本配設してなる頭部載置台をさらに備え、前記腰載置台を背柱個所に移動させて、前記複数本の弾性部材は、頭及び背中の自重によって頭部載置台及び腰載置台に食い込み該弾性部材と頭部及び脊椎部とが面で接触してなることを特徴とする請求項１、２又は３のいずれか１項記載の骨盤矯正装置。
【請求項５】
前記摺動板は、７０ｍｍ〜１２０ｍｍ移動させてなることを特徴とする請求項１、２又は３のいずれか１項記載の骨盤矯正装置。
【請求項６】
基台と、前記基台の上部に摺動可能に取り付けられた摺動板と、前記摺動板に設けられた足固定具と、弾性部材を所定間隔に複数本配設してなる腰載置台と、前記摺動板を摺動するための駆動装置と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備える伸張装置。
【発明の詳細な説明】
【技術分野】
【０００１】本発明は、脚部並びに骨盤を伸縮させることにより骨盤を矯正するための骨盤矯正装置及び伸張装置に関する。
【背景技術】
【０００２】種々の人体の骨盤の歪みを矯正する骨盤矯正器が、知られている。骨盤を矯正する運動に用いる器具として、特開２００１−７０３２６号が知られている。この特許に開示されている矯正器具は、図１に示されている。図１において、座板１と背板２と足台３を備え、骨盤の矯正のためにする主運動である両足の股間への引きつけが、円滑に行えるように足台３を駆動レバー５を操作することにより前後にコロ７で変動できるようにし、その足台を適切な位置に停止できるように足台停止歯付足台可動溝４、８を組み合わせて骨盤矯正器の機能と構造の人体の骨盤の歪みを矯正する。座板１、背板２及び足台３は、外枠９に取り付けられている。【０００３】この骨盤矯正器は、両足の屈伸を容易に行えるようにして骨盤の矯正を行なう。従って、骨盤自身を矯正する機能を有していないため、骨盤の矯正の効果は少ないと考えられる。人が腰部自身を左右に揺動させて骨盤自身を矯正する装置も知られている。この矯正装置は、人の左右に揺さぶる力のみで骨盤を矯正させているため、矯正効果が少ないと考えられる。
【先行技術文献】
特開２００１−７０３２６号公報
【発明の開示】
【発明が解決しようとする課題】
【０００４】本発明は、上述した従来の欠点を鑑みてなされたもので、本発明の目的は、脚部の伸張に伴って生じる力を利用すると共に骨盤に作用させる弾性力でもって骨盤自身に力を作用させることにより、骨盤の歪み矯正を骨盤に負担を加えることなしに効果的に行わせることができる骨盤矯正装置及び伸張装置を提供することにある。
【課題を解決するための手段】
【０００５】請求項１に係る骨盤矯正装置は、基台と、前記基台の上部に摺動可能に取り付けられた摺動板と、前記摺動板に設けられた足固定具と、弾性部材を所定間隔に複数本配設してなる腰載置台と、前記摺動板を摺動するための駆動装置と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備える。【０００６】請求項２に係る骨盤矯正装置は、１０度〜２０度の傾斜面を備える基台と、前記基台の上部に摺動可能に取り付けられた摺動板と、前記摺動板に固定して取り付けられた足固定具と、弾性部材を所定間隔に複数本配設してなる腰載置台と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備え、前記摺動板を摺動するため前記基台内に配設された空気袋と、前記空気袋へ空気を供給するための空気供給装置とを備え、前記基台内に配設された空気袋へ空気の圧力；１８ｋｇ／ｃｍ２〜３０ｋｇ／ｃｍ２で空気を供給してなる。【０００７】請求項３に係る骨盤矯正装置は、１０度〜２０度の傾斜面を備える基台と、前記基台の上部に摺動可能に取り付けられた摺動板と、前記摺動板に固定して取り付けられた足固定具と、弾性部材を所定間隔に複数本配設してなる腰載置台と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備え、前記基台内に駆動源として前記摺動板を摺動するアクチュエータとを備える。【０００８】請求項４に係る骨盤矯正装置は、請求項１から３のいずれか１項記載の骨盤矯正装置において、弾性部材を所定間隔に複数本配設してなる頭部載置台をさらに備え、前記腰載置台を背柱個所に移動させて、前記複数本の弾性部材は、頭及び背中の自重によって頭部載置台及び腰載置台に食い込み該弾性部材と頭部及び脊椎部とが面で接触してなることを特徴とする。【０００９】請求項５に係る骨盤矯正装置は、請求項１から３のいずれか１項記載の骨盤矯正装置において、前記摺動板は、７０ｍｍ〜１２０ｍｍ移動させてなることを特徴とする。【００１０】請求項６に係る伸張装置は、基台と、前記基台の上部に摺動可能に取り付けられた摺動板と、前記摺動板に設けられた足固定具と、弾性部材を所定間隔に複数本配設してなる腰載置台と、前記摺動板を摺動するための駆動装置と、前記複数本の弾性部材は、自重によって骨盤筋肉に食い込み該弾性部材と骨盤筋肉部とが面で接触して、よって骨盤部の前記摺動板の移動に伴う摺動方向の移動阻止と、該摺動板の戻りによる弾性部材の復元力の作用を備える。
【発明の効果】
【００１１】骨盤に加わる少ない力で骨盤の歪み矯正を骨盤かかる筋肉に負担を加えることなしに効果的に行わせることができる。骨盤に加わる緊張を均等に負担をかけることなく骨盤の歪み矯正を行うことができる。
【発明を実施するための最良の形態】
【００１２】以下、添付図面を参照して本発明の一実施例を詳述する。
図２は、骨盤矯正装置の斜視図であり、図３は、骨盤矯正装置の断面図である。
図２及び図３において、符号１０は、骨盤矯正装置であり、骨盤矯正装置１０は、基台１２と、基台１２の上部に摺動可能に取り付けられた摺動板１４と、摺動板１４の後端側に固定して取り付けられた足固定具１５と、足固定具１５に足を引掛けために水平方向に延出する引掛棒１６と、摺動板１４と足固定具１６の後部に設けられたクッション作用のための空気袋１７と、腰載置台１８と、基台１２と腰載置台１８とを連結する連結具２０と、摺動板１４を駆動するための駆動用空気袋２６と、駆動用空気袋２６に空気を供給する空気供給装置２２とを備える。【００１３】基台１２は、長さ４０ｃｍ、幅３３ｃｍ、高さ１５ｃｍ、傾斜角１０度〜２０度のほぼ台形形状を有する。基台１２は、内部空洞であり、基台１２は、その内部に固定具２４を中心に回動可能に取り付けられた回動板２５と、基台１２の上部壁と回動板２５との間でかつ回動板２５の一端に取り付けられている駆動用空気袋２６を配設する。【００１４】摺動板１４は、基台１２の上面に設けられた直動案内装置等のコロ等の摺動部材２８により基台上を前進・後進する。摺動板１４は、その内部に先端が固定されたバネ３０を配設している。バネの他端には、伸縮しない強度のある糸材３２の一端が取り付けられている。糸材の他端３２は、基台の後端側に設けられた回転具３４を介して回動板２５の他端側に取り付けられている。【００１５】摺動板１４の前進移動は、駆動用空気袋２６への空気の供給及び排気により行われる。駆動用空気袋へ供給される空気の圧力は、１８ｋｇ／ｃｍ２〜３０ｋｇ／ｃｍ２である。駆動用空気袋２６に空気が供給されると、駆動用空気袋の膨張に伴って駆動用空気袋に取り付けられている回動板２５は（ａ）点から（ｂ）点へ下方に回動される。この回動板２５の（ａ）点から（ｂ）点への回動によって、摺動板１４は、バネの伸張を伴って基台１２の上面上を７０ｍｍ〜１２０ｍｍ移動する。一方、摺動板１４の後進移動は、駆動用空気袋からの空気の排気に伴ってバネの元に戻る復元力によりなされる。駆動用空気袋内への空気の供給量は、空気圧及び供給時間に依存する。【００１６】駆動用空気袋への空気の供給は、ポンプ２２によって行われ、空気の供給と排気は、ポンプと空気袋の間に設けられた電磁弁２３によって行われる。駆動用空気袋への供給及び排気は管２７を通して行われる。また、駆動用空気袋への空気圧及び空気供給時間は、制御装置により制御される。【００１７】基台１２と腰載置台１８とを連結する連結具２０は、長さを調節可能に取り付けられている。連結具２０は、基台１２側に長手方向に延びる穴を形成し、この穴内で固定ネジ２１を固定する位置を調節することにより連結具２０の長さを調節可能に取り付することができる。連結具２０の長さは、ストッパ１３により固定される。連結具２０の一端は、腰載置台１８に固定され、他端は、長手方向に長さ調節可能に基台１２内に設けられている。【００１８】図２及び図４、図５において、腰載置台１８には、骨盤個所が載せられる。腰載置台１８は、長方形状の台であり、内部に凹部３８を設けている。腰載置台１８は、長手方向に所定間隔をもって複数本のゴム等の弾性部材３６を配設している。腰部が、弾性部材３６に載せられ、そして基台の摺動板１４が、基台１２の上面上を７０ｍｍ〜１２０ｍｍ移動するに伴い、弾性部材３６は、長手方向に引張られて位置３７に移動すると共に弾性部材３６は符号３９の位置まで沈み込む。そして、摺動板１４が元の位置に戻ると、弾性部材３６もそれぞれ元の位置に戻る。腰部は、腰載置具１８の凹部３８に嵌り込んでいるためずれ落ちることはない。【００１９】複数本の弾性部材は、自重によって骨盤筋肉に食い込み弾性部材と骨盤筋肉部とが面で接触して、よって骨盤部の前記摺動板の移動に伴う摺動方向の移動阻止と、該摺動板の戻りによる弾性部材の復元力の作用を備える。【００２０】かくして、摺動部材が７０ｍｍ〜１２０ｍｍ移動するすると脚部が伸張されるに伴い、脚部の伸張、さらには腰部の伸張と、元への戻りが繰り替えされることにより骨盤の矯正効果がもたらされる。【００２１】図６は、頭部載置台４０の概略図を示す。頭部載置台４０は、山形状をしており、傾斜面に所定間隔をもって複数本の弾性部材３８を配設している。頭部載置台４０は、頭部を支える枕の作用をすると同時に、前記複数本の弾性部材が、頭の自重によって頭部と面で接触する。よって、頭部には、頭の自重での弾性部材への面での食い込みの効果と共に、摺動板の移動に伴う摺動方向の移動阻止と、摺動板の戻りによる弾性部材の復元力の作用が備えられる。【００２２】そして、頭部載置台４０と上述した腰載置台１８を背柱個所に移動させて使用することにより、頭及び背中が、それぞれの自重によって頭部載置台及び腰載置台の弾性部材に食い込み、弾性部材と頭部及び脊椎部とが面で接触する。頭及び脊椎の自重での弾性部材への面での食い込みの効果と共に、脚部の伸張と、そして元への戻りが繰り替えされる効果によりより骨盤の矯正効果がもたらされる。【００２３】本発明の骨盤矯正装置は、骨盤、背柱、頭が、それぞれの自重によって頭部載置台及び腰載置台の弾性部材に食い込み、弾性部材と骨盤、頭部及び脊椎部とが面で接触する効果と共に、脚部の伸張と元への戻りが繰り替えされる効果によりより伸張の効果がもたらされる。【００２４】図８は、骨盤矯正装置の摺動板の他の駆動装置を示す。
１０度〜２０度の傾斜面を備える基台１２と、基台１２の上部に摺動可能に取り付けられた摺動板１４と、摺動板１４に固定して取り付けられた足固定具１５と、基台内に駆動源として摺動板１４を摺動するアクチュエータ５０とを備える。アクチュエータ５０は、固定台に取り付けられている。アクチュエータ５０のシャフト５１の一端は固定金具５２に固定され、シャフト５１は、アクチュエータ５０の駆動により左右に移動する。シャフト５１の他端は、ピン５６に介して連接された２つのシャフト５３、５５が取り付けられている。シャフト５５の一端は摺動板１４に固定されている。駆動板１４は、摺動部材２８によってシャフト５１のアクチュエータ５０の駆動により摺動する。基台１２の上端部は、シャフト５５が挿通する開口５７を有する。この開口部を補強するために補強部材５４が基台に設置されている。
【産業上の利用可能性】
【００２５】
【００２６】骨盤の矯正。背柱の矯正装置。首牽引装置。足牽引装置。背筋牽引装置。
【図面の簡単な説明】
【００２７】
【図１】図１は、従来の骨盤矯正装置を示す概略図である。
【図２】図２は、本発明による骨盤矯正装置を示す概略図である。
【図３】図３は、図２の骨盤矯正装置を示す断面概略図である。
【図４】図４は、腰載置台を示す概略図である。
【図５】図５は、図４の腰載置台を示す断面図である。
【図６】図４は、頭載置台を示す概略図である。
【図７】図７は、頭部載置台及び腰載置台を示す設けた概略図である。
【図８】図８は、図２の骨盤矯正装置の他の駆動装置を示す概略図である。
【符号の説明】
【００２８】１０；骨盤矯正装置
１２；基台
１４；摺動板
１５；足固定具１５
１７；空気袋
１８；腰載置台
２０；連結具
２２；空気供給装置
２５；回動板
２６；駆動用空気袋
２８；摺動部材
３０；バネ
３６；弾性部材
４０；頭載置台
５０；アクチュエータ
【図１】
2009039479.tif 000003
【図２】
2009039479.tif 000004
【図３】
2009039479.tif 000005
【図４】
2009039479.tif 000006
【図５】
2009039479.tif 000007
【図６】
2009039479.tif 000008
【図７】
2009039479.tif 000009
【図８】
2009039479.tif 000010